(57)【要約】【課題】表示内容を変更するときに、その変更箇所に含まれる強調画像を目立つように表示する。【解決手段】表示装置は、記憶性表示体の表示内容を変更するよう指示する操作が行われると、この記憶性表示体に表示されている変更前画像を消去し、変更が行われた後の変更後画像において変更前画像から変更された変更箇所を判別し、判別した変更箇所に含まれる強調画像を特定し、変更後画像から強調画像を除いた非強調画像を記憶性表示体に表示させた後、この非強調画像に強調画像を重ねて表示させる。【選択図】図６
2010152630.tif 000002
【特許請求の範囲】
【請求項１】
画像を表示する表示手段と、
前記表示手段の表示内容を変更するよう指示する操作が行われると、当該表示手段に表示されている変更前画像を消去する消去手段と、
前記変更が行われた後の変更後画像において前記変更前画像から変更された変更箇所を判別し、判別した当該変更箇所に含まれる強調画像を特定する特定手段と、
前記変更後画像から前記特定手段によって特定された強調画像を除いた非強調画像を前記表示手段に表示させた後、当該非強調画像に前記強調画像を重ねて表示させる表示制御手段と
を備えることを特徴とする表示装置。
【請求項２】
前記特定手段は、前記変更箇所のうち予め決められた種別の画像を前記強調画像として特定する
ことを特徴とする請求項１に記載の表示装置。
【請求項３】
前記特定手段は、前記変更箇所に含まれる複数の前記強調画像を特定し、
前記表示制御手段は、前記非強調画像に重ねて前記複数の強調画像を１つずつ順番に表示させていく
ことを特徴とする請求項１又は２に記載の表示装置。
【請求項４】
前記複数の強調画像は、複数の操作者の指示によって入力されたものであり、
前記特定手段は、互いに異なる操作者の指示によって入力された複数の強調画像を特定する
ことを特徴とする請求項３に記載の表示装置。
【請求項５】
前記表示制御手段は、前記複数の強調画像を前記入力が行われた順に１つずつ表示させていく
ことを特徴とする請求項４に記載の表示装置。
【請求項６】
コンピュータを、
画像を表示する表示手段の表示内容を変更するよう指示する操作が行われると、当該表示手段に表示されている変更前画像を消去する消去手段と、
前記変更が行われた後の変更後画像において前記変更前画像から変更された変更箇所を判別し、判別した当該変更箇所に含まれる強調画像を特定する特定手段と、
前記変更後画像から前記特定手段によって特定された強調画像を除いた非強調画像を前記表示手段に表示させた後、当該非強調画像に前記強調画像を重ねて表示させる表示制御手段
として機能させるためのプログラム。
【発明の詳細な説明】
【技術分野】
【０００１】
本発明は、表示内容を変更する技術に関する。
【背景技術】
【０００２】
文書の変更箇所を表示するときに、その変更箇所の色を変えたり、変更箇所にアンダーラインを付加したりする技術が知られている。例えば、特許文献１には、文書の更新箇所の色を変えて表示する技術が開示されている。
【特許文献１】特開２０００−２９３５１９号公報
【発明の開示】
【発明が解決しようとする課題】
【０００３】
ところで、表示装置において画像の書き換えが行われるときに、書き換え前の画像と書き換え後の画像とが類似する場合には、書き換えの前後でどこが変わったのかを把握しづらい。書き換えの前後で変更される部分には、利用者が注視したい画像が含まれていると考えられるため、強調して表示することが望まれている。
本発明は、表示内容を変更するときに、その変更箇所に含まれる強調画像を目立つように表示することを目的とする。
【課題を解決するための手段】
【０００４】
本発明は、画像を表示する表示手段と、前記表示手段の表示内容を変更するよう指示する操作が行われると、当該表示手段に表示されている変更前画像を消去する消去手段と、前記変更が行われた後の変更後画像において前記変更前画像から変更された変更箇所を判別し、判別した当該変更箇所に含まれる強調画像を特定する特定手段と、前記変更後画像から前記特定手段によって特定された強調画像を除いた非強調画像を前記表示手段に表示させた後、当該非強調画像に前記強調画像を重ねて表示させる表示制御手段とを備えることを特徴とする表示装置を提供する。これにより、表示内容を変更するときに、その変更箇所に含まれる強調画像を目立つように表示することができる。
【０００５】
本発明の好ましい態様において、前記特定手段は、前記変更箇所のうち予め決められた種別の画像を前記強調画像として特定してもよい。これにより、変更箇所のうち予め決められた種別の画像だけを目立つように表示することができる。
【０００６】
本発明の好ましい態様において、前記特定手段は、前記変更箇所に含まれる複数の前記強調画像を特定し、前記表示制御手段は、前記非強調画像に重ねて前記複数の強調画像を１つずつ順番に表示させていってもよい。これにより、複数の強調画像をそれぞれ目立つように表示することができる。
【０００７】
本発明の好ましい態様において、前記複数の強調画像は、複数の操作者の指示によって入力されたものであり、前記特定手段は、互いに異なる操作者の指示によって入力された複数の強調画像を特定してもよい。これにより、同一の操作者の指示によって入力された強調画像を識別することができる。
【０００８】
本発明の好ましい態様において、前記表示制御手段は、前記複数の強調画像を前記入力が行われた順に１つずつ表示させていってもよい。これにより、各々の強調画像が入力された順番を把握することができる。
【０００９】
本発明は、コンピュータを、画像を表示する表示手段の表示内容を変更するよう指示する操作が行われると、当該表示手段に表示されている変更前画像を消去する消去手段と、前記変更が行われた後の変更後画像において前記変更前画像から変更された変更箇所を判別し、判別した当該変更箇所に含まれる強調画像を特定する特定手段と、前記変更後画像から前記特定手段によって特定された強調画像を除いた非強調画像を前記表示手段に表示させた後、当該非強調画像に前記強調画像を重ねて表示させる表示制御手段として機能させるためのプログラムを提供する。これにより、表示内容を変更するときに、その変更箇所に含まれる強調画像を目立つように表示することができる。
【発明を実施するための最良の形態】
【００１０】
［第１実施形態］
（構成）
まず、本発明の第１実施形態について説明する。
図１は、第１実施形態に係る表示装置１の外観を示す図であり、図２は、表示装置１の構成を示すブロック図である。この表示装置１は、例えば電子ペーパである。同２に示すように、表示装置１は、ＣＰＵ（Central Processing Unit）１１と、ＲＯＭ（Read Only Memory）１２と、ＲＡＭ（Random Access Memory）１３と、記憶部１４と、電源１５と、電源制御部１６と、操作ボタン１７と、入力検出部１８と、入出力部１９と、ＶＲＡＭ（Video Random Access Memory）２０と、表示体制御部２１と、記憶性表示体２２とを備えている。
【００１１】
ＣＰＵ１１は、ＲＯＭ１２に記憶されているプログラムを実行して、表示装置１の各部を制御する。ＲＯＭ１２は、ＣＰＵ１１によって実行される各種のプログラムやデータを記憶している。ＲＡＭ１３は、ＣＰＵ１１がプログラムを実行する際のワークエリアとして使用される。記憶部１４は、例えばフラッシュメモリであり、記憶性表示体２２に表示される画像を表す画像データなどを記憶している。電源１５は、例えば充電可能な電池であり、表示装置１の各部に電力を供給する。電源制御部１６は、電源１５の電圧を制御して、表示装置１の各部に所定電圧の電力を供給させる。操作ボタン１７は、図１に示すように表示装置１の前面に設けられており、操作者の操作を受け付けてその操作に応じた操作データを入出力部１９に供給する。入力検出部１８は、記憶性表示体２２の表示面の背面側に設けられており、静電誘導方式によって、記憶性表示体２２の表示面において操作者により指定された位置を検出する。このとき、操作者により指定された位置は、例えば記憶性表示体２２の表示面の始点を原点０としたｘｙ座標を用いて表される。そして、入力検出部１８は、操作者により指定された位置を表す位置座標を入出力部１９に供給する。入出力部１９は、操作ボタン１７又は入力検出部１８とＣＰＵ１１との間の各種データのやり取りを制御する。ＶＲＡＭ２０は、記憶性表示体２２に表示される１画面分の画像を表す画像データを記憶する。表示体制御部２１は、記憶性表示体２２を駆動して、ＶＲＡＭ２０に記憶されている画像データに応じた画像を表示させる。記憶性表示体２２は、表示体制御部２１の駆動により電気泳動方式で画像を表示する表示手段である。
【００１２】
図３は、記憶性表示体２２の断面構造の一部を拡大して示す図である。この図では、操作者が、図中の矢線Ｖ方向から記憶性表示体２２を視認するものとする。なお、以下の説明では、記憶性表示体２２において図中の上方向側を前面と呼び、図中の下方向側を背面と呼ぶ。同図に示すように、記憶性表示体２２は、透明電極１０１と、背面電極１０２と、表示層１０３とを備えている。透明電極１０１は、表示層１０３の前面側に設けられた透明な共通電極である。背面電極１０２は、表示層１０３の背面側において画素毎に設けられた画素電極である。表示層１０３は、複数の表示素子Ｐが配列された表示面であり、駆動電圧が印加されることにより画像を表示する。この表示素子Ｐは、透明な分散媒が充填されたマイクロカプセルである。各々の表示素子Ｐには、正に帯電した白色顔料ＷＧと、負に帯電した黒色顔料ＢＧとが封入されている。
【００１３】
ここで、記憶性表示体２２の表示原理について説明する。表示体制御部２１が透明電極１０１及び背面電極１０２に駆動電圧を印加すると、表示層１０３の各表示素子Ｐの黒色顔料ＢＧ及び白色顔料ＷＧは、この駆動電圧の向きに応じて移動する。例えば、透明電極１０１側が正、背面電極１０２側が負となる向きの駆動電圧が印加された場合には、黒色顔料ＢＧが透明電極１０１側に移動し、白色顔料ＷＧが背面電極１０２側に移動する。このように、黒色顔料ＢＧが表示層１０３の前面側に移動した場合、その部分の画素の色は黒色になる。一方、透明電極１０１側が負、背面電極１０２側が正となる向きの駆動電圧が印加された場合には、白色顔料ＷＧが透明電極１０１側に移動し、黒色顔料ＢＧが背面電極１０２側に移動する。このように、白色顔料ＷＧが表示層１０３の表面側に移動した場合、その部分の画素の色は白色になる。この黒色顔料ＢＧ及び白色顔料ＷＧの位置は、一度移動すると電圧の印加がなくてもその状態が維持される。つまり、記憶性表示体２２は、画像を表示した後は、電圧が印加されなくても表示した画像を保持することができる。
【００１４】
（動作）
次に、第１実施形態に係る表示装置１の動作について説明する。
図４は、第１実施形態に係る表示装置１の画像の書き換え処理を示すフロー図であり、図５は、この画像の書き換え処理で用いられる画像の一例を示す図である。ここでは、記憶性表示体２２の表示面には、図５（ａ）に示す画面Ｐａが表示されている場合を想定する。同図に示すように、この画面Ｐａには、ハイライト表示ボタンＢと文書画像Ｔとが配置されている。このハイライト表示ボタンＢは、ハイライト表示を指示する操作を受け付けるＧＵＩ（Graphical User Interface）のボタンである。このハイライト表示とは、予め決められた文字列や領域について、白黒を反転した状態で表示することをいう。この例では、ハイライト表示ボタンＢが押されると、文書画像Ｔ中の「重要」という文字列がハイライト表示されるものとする。
【００１５】
まず、操作者のタッチ操作によってハイライト表示ボタンＢが押下されると、ＣＰＵ１１は、入力検出部１８によってこの押下操作を検出する（ステップＳＡ１１）。ハイライト表示ボタンＢの押下操作を検出すると、ＣＰＵ１１は、表示体制御部２１に黒白のリセット駆動を行うよう指示する（ステップＳＡ１２）。表示体制御部２１は、ＣＰＵ１１の指示に従って、黒白のリセット駆動を行う。具体的には、表示体制御部２１は、まず記憶性表示体２２の全画素が黒色になる向きの駆動電圧を透明電極１０１及び背面電極１０２に印加する。これにより、記憶性表示体２１の表示面の全面が黒表示になる。続いて、表示体制御部２１は、記憶性表示体２２の全画素が白色になる向きの駆動電圧を透明電極１０１及び背面電極１０２に印加する。これにより、記憶性表示体２１の表示面の全面が白表示になる。つまり、表示体制御部２１は、記憶性表示体２２の表示内容を変更するよう指示する操作が行われると、この記憶性表示体２２に表示されている変更前画像（画面Ｐａ）を消去する消去手段である。
【００１６】
続いて、ＣＰＵ１１は、黒白のリセット駆動が行われている間に、ハイライト表示が行われた後の画面Ｐｂを表す画像データを生成する（ステップＳＡ１３）。図５（ｂ）は、この画面Ｐｂの一例を示す図である。同図に示すように、この画面Ｐｂでは、ハイライト表示ボタンＢが白黒反転した状態になっている。さらに、この画面Ｐｂでは、文書画像Ｔにおいて、ハイライト表示の対象となる「重要」という文字列が白黒反転した状態になっている。
【００１７】
続いて、ＣＰＵ１１は、生成した画像データが表す画面Ｐｂにおいて、記憶性表示体２２の表示面に表示されていた画面Ｐａから変更された変更箇所を判別する（ステップＳＡ１４）。つまり、ＣＰＵ１１は、変更が行われた後の変更後画像（画面Ｐｂ）において変更前画像（画面Ｐａ）から変更された変更箇所を判別する。この例では、文書画像Ｔの「重要」という文字列とハイライト表示ボタンＢとが変更箇所として判別される。続いて、ＣＰＵ１１は、判別した変更箇所に含まれる強調部分を特定し、上述したステップＳＡ１３にて生成した画像データからこの強調部分を抽出する（ステップＳＡ１５）。つまり、ＣＰＵ１１は、判別した変更箇所に含まれる強調画像（強調部分）を特定する特定手段である。図５（ｃ）は、このとき抽出される強調部分の一例を示す図である。同図に示すように、この例では、ハイライト表示が行われた「重要」という文字列が強調部分として抽出される。なお、変更箇所に含まれるハイライト表示ボタンＢについては、ハイライト表示が行われる対象ではなく、強調して表示する必要がないため、強調部分として特定されない。つまり、ＣＰＵ１１は、変更箇所のうち予め決められた種別の画像（ハイライト表示が行われる文字列）を強調画像（強調部分）として特定する。また、図５（ｄ）は、強調部分が抽出された後の画像データが表す画面Ｐｍを示す図である。同図に示すように、画面Ｐｍでは、図５（ｂ）に示した画面Ｐｂから「重要」という文字列部分が削除されて、その部分が空白になっている。
【００１８】
続いて、ＣＰＵ１１は、強調部分が抽出された後の画像データ、すなわち画面Ｐｍを示す画像データをＶＲＡＭ２０に記憶させる。そして、ＣＰＵ１１は、表示体制御部２１に書き込み駆動を行うよう指示する（ステップＳＡ１６）。表示体制御部２１は、ＣＰＵ１１の指示に従って、ＶＲＡＭ２０に記憶されている画像データに応じた駆動電圧を透明電極１０１及び背面電極１０２に印加し、書き込み駆動を行う。これにより、記憶性表示体２２の表示面には、図５（ｄ）に示した画面Ｐｍが表示される。
【００１９】
画面Ｐｍが表示された後、ＣＰＵ１１は、上述したステップＳＡ１５にて抽出した強調部分を表す画像データをＶＲＡＭ２０に記憶させる。そして、ＣＰＵ１１は、表示体制御部２１に上書き駆動を行うよう指示する（ステップＳＡ１７）。表示体制御部２１は、ＣＰＵ１１の指示に従って、ＶＲＡＭ２０に記憶されている画像データに応じた駆動電圧を透明電極１０１及び背面電極１０２に印加し、上書き駆動を行う。この上書き駆動では、上述したリセット駆動のように、表示面に表示されている画像の消去は行われず、表示層１０３において画像の書き換えが行われる表示素子Ｐだけが駆動される。これにより、記憶性表示体２２の表示面には、図５（ｄ）に示した画面Ｐｍに対して、図５（ｃ）に示した強調部分が上書き表示される。この上書き表示とは、画面Ｐｍの上に重ねて強調部分を表示することをいう。つまり、ＣＰＵ１１は、変更後画像（画面Ｐａ）から強調画像（強調部分）を除いた非強調画像（画面Ｐｍ）を記憶性表示体２２に表示させた後、当該非強調画像に前記強調画像を重ねて表示させる表示制御手段である。
【００２０】
図６は、この画像の書き換え処理における表示体制御部２１の駆動を示す図である。上述した黒リセット駆動が行われると、図中の黒リセット期間Ｌ１となる。この黒リセット期間Ｌ１においては、上述したように、記憶性表示体２２の表示面の全面が黒表示になる。続いて、上述した白リセット駆動が行われると、図中の白リセット期間Ｌ２となる。この白リセット期間Ｌ２においては、上述したように、記憶性表示体２２の表示面の全面が白表示になる。続いて、上述した書き込み駆動が行われると、図中の一時表示期間Ｌ３となる。この一時表示期間Ｌ３においては、図に示すように、上述した画面Ｐｍが記憶性表示体２２の表示面に表示される。続いて、上述した上書き駆動が行われると、図中の上書き表示期間Ｌ４となる。この上書き表示期間Ｌ４においては、図に示すように、一時表示期間Ｌ３において表示される画面Ｐｍの上に図５（ｃ）に示した強調部分が上書き表示された画面、すなわち上述した画面Ｐｂが記憶性表示体２２の表示面に表示される。これを操作者から見ると、上書き表示期間Ｌ４において、「重要」という文字列が浮き出てくるように見える。
【００２１】
仮に、本発明の構成を備えていない場合には、図５（ａ）に示した画面Ｐａがリセットされると、図６に示す画面Ｐｍが表示されずに、そのまま画面Ｐｂが表示されることになる。このような場合には、ハイライト表示ボタンＢを押下する操作に応じて、どの部分がハイライト表示されたのかが分かりにくい。これに対し、上述した第１実施形態では、図５（ａ）に示した画面Ｐａがリセットされると、図６に示す画面Ｐｍが一旦表示された後に、時間差をもってハイライト表示が行われた「重要」という文字列が表示される。このように、強調して表示する必要がない画面Ｐｍと、強調部分とが時間差をもって段階的に表示されるため、強調部分を容易に把握することができる。このように、第１の実施形態によれば、表示面の表示内容を変更するときに、その変更箇所に含まれる強調部分を目立つように表示することができる。
【００２２】
［第２実施形態］
次に、本発明の第２実施形態について説明する。なお、第２実施形態に係る表示装置１は、上述した第１実施形態の表示装置１と共通の構成を備えている。よって、ここでは、表示装置１の動作について説明する。
【００２３】
（動作）
図７は、第２実施形態に係る表示装置１の画像の書き換え処理を示すフロー図であり、図８は、この画像の書き換え処理で用いられる画像の一例を示す図である。ここでは、記憶性表示体２２の表示面には、図８（ａ）に示す画面Ｑａが表示されており、さらに、操作者Ａによって図中の手書き画像ｍ１，ｍ２を描画する操作が行われ、操作者Ｂによって図中の手書き画像ｍ３を描画する操作が行われ、操作者Ｃによって図中の手書き画像ｍ４，ｍ５を描画する操作が行われた場合を想定する。この場合、ＣＰＵ１１は、各々の手書き画像を表す手書き画像データを生成し、生成した手書き画像データを操作者毎に対応付けてＲＡＭ１３に記憶させる。なお、どの操作者がどの手書き画像を描画する操作を行ったかは、例えば手書き画像の描画が行われる前に、各々の操作者を識別する識別する識別情報の入力を受け付けることにより、判別することができる。
【００２４】
まず、いずれかの操作者によって操作ボタン１７が用いられて手書き画像の表示を指示する操作が行われると、ＣＰＵ１１はこの操作を検出する（ステップＳＢ１１）。続いて、ＣＰＵ１１は、上述したステップＳＡ１２と同様に、表示体制御部２１に黒白のリセット駆動を行うよう指示する（ステップＳＢ１２）。これにより、上述した第１実施形態と同様に、黒白のリセット駆動が行われる。続いて、ＣＰＵ１１は、黒白のリセット駆動が行われている間に、ＲＡＭ１３に記憶されている手書き画像データに基づいて、手書き画像が付加された画面Ｑｂを表す画像データを生成する（ステップＳＢ１３）。図８（ｂ）は、この画面Ｑｂの一例を示す図である。同図に示すように、この画面Ｑｂには、図８（ａ）に示した画面Ｑａに対して手書き画像ｍ１〜ｍ５が付加されている。
【００２５】
続いて、ＣＰＵ１１は、生成した画像データが表す画面Ｑｂにおいて、記憶性表示体２２の表示面に表示されていた画面Ｑａから変更された変更箇所を判別する（ステップＳＢ１４）。この例では、手書き画像ｍ１〜ｍ５が変更箇所として判別される。続いて、ＣＰＵ１１は、判別した変更箇所に含まれる第１〜第３の強調部分を特定し、ステップＳＢ１３にて生成した画像データからこれら第１〜第３の強調部分を抽出する（ステップＳＢ１５）。つまり、ＣＰＵ１１は、変更箇所に含まれる複数の強調画像（強調部分）を特定する。図８（ｃ）〜（ｅ）は、このときに抽出される第１〜第３の強調部分の一例を示す図である。図８（ｃ）に示すように、この例では、変更箇所のうち操作者Ａによって描画された手書き画像ｍ１及びｍ２が、第１の強調部分として抽出される。また、図８（ｄ）に示すように、変更箇所のうち操作者Ｂによって描画された手書き画像ｍ３が、第２の強調部分として抽出される。さらに、図８（ｅ）に示すように、変更箇所のうち操作者Ｃによって描画された手書き画像ｍ４及びｍ５が、第３の強調部分として抽出される。このように、複数の強調画像（強調部分）は、複数の操作者の指示によって入力されたものであり、ＣＰＵ１１は、互いに異なる操作者の指示によって入力された複数の強調画像（強調）を特定する。また、図８（ｆ）は、第１〜第３の強調部分が抽出された後の画像データが表す画面Ｑｍ０を示す図である。図に示すように、この画面Ｑｍ０では、図８（ｂ）に示した画面Ｑｂから手書き入力画像ｍ１〜ｍ５が削除されて、図８（ａ）に示した画面Ｑａと同様に、文書画像Ｔだけが配置されている。
【００２６】
続いて、ＣＰＵ１１は、第１〜第３の強調部分が抽出された後の画像データ、すなわち画面Ｑｍ０を表す画像データをＶＲＡＭ２０に記憶させる。そして、ＣＰＵ１１は、表示体制御部２１に書き込み駆動を行うよう指示する（ステップＳＢ１６）。表示体制御部２１は、ＣＰＵ１１の指示に従って、ＶＲＡＭ２０に記憶されている画像データに応じた駆動電圧を透明電極１０１及び背面電極１０２に印加し、書き込み駆動を行う。これにより、記憶性表示体２２の表示面には、図８（ｆ）に示した画面Ｑｍ０が表示される。
【００２７】
画面Ｑｍ０が表示された後、ＣＰＵ１１は、上述したステップＳＢ１５にて抽出した第１の強調部分を表す手書き画像データをＶＲＡＭ２０に記憶させる。そして、ＣＰＵ１１は、表示体制御部２１に第１の上書き駆動を行うよう指示する（ステップＳＢ１７）。表示体制御部２１は、上述と同様に、ＣＰＵ１１の指示に従って、ＶＲＡＭ２０に記憶されている手書き画像データに応じた駆動電圧を透明電極１０１及び背面電極１０２に印加し、第１の上書き駆動を行う。これにより、記憶性表示体２２の表示面には、図８（ｆ）に示した画面Ｑｍ０に対して図８（ｃ）に示した手書き画像ｍ１及びｍ２が上書き表示される。
【００２８】
続いて、ＣＰＵ１１は、上述したステップＳＢ１５にて抽出した第２の強調部分を表す手書き画像データをＶＲＡＭ２０に記憶させる。そして、ＣＰＵ１１は、表示体制御部２１に第２の上書き駆動を行うよう指示する（ステップＳＢ１８）。表示体制御部２１は、上述と同様に、ＣＰＵ１１の指示に従って、ＶＲＡＭ２０に記憶されている手書き画像データに応じた駆動電圧を透明電極１０１及び背面電極１０２に印加し、第２の上書き駆動を行う。これにより、記憶性表示体２２の表示面には、さらに図８（ｄ）に示した手書き画像ｍ３が上書き表示される。
【００２９】
続いて、ＣＰＵ１１は、上述したステップＳＢ１５にて抽出した第３の強調部分を表す手書き画像データをＶＲＡＭ２０に記憶させる。そして、ＣＰＵ１１は、表示体制御部２１に第３の上書き駆動を行うよう指示する（ステップＳＢ１９）。表示体制御部２１は、上述と同様に、ＣＰＵ１１の指示に従って、ＶＲＡＭ２０に記憶されている手書き画像データに応じた駆動電圧を透明電極１０１及び背面電極１０２に印加し、第３の上書き駆動を行う。これにより、記憶性表示体２２の表示面には、さらに図８（ｅ）に示した手書き画像ｍ４及びｍ５が上書き表示される。つまり、ＣＰＵ１１は、非強調画像（画面Ｑｍ０）に重ねて複数の強調画像（強調部分）を１つずつ順番に表示させていく。
【００３０】
図９は、この画像の書き換え処理における表示体制御部２１の駆動を示す図である。上述した第１実施形態と同様に、黒リセット期間Ｌ１，白リセット期間Ｌ２を経た後、一時表示期間Ｌ３となる。この一時表示期間Ｌ３においては、図に示すように、上述した画面Ｑｍ０が記憶性表示体２２の表示面に表示される。続いて、上述した第１の上書き駆動が行われると、図中の第１の上書き表示期間Ｌ４−１となる。この第１の上書き表示期間Ｌ４−１においては、一時表示期間Ｌ３において表示された画面Ｑｍ０に対して、図８（ｃ）に示した手書き画像ｍ１及びｍ２が上書き表示された、図中の画面Ｑｍ１が記憶性表示体２２の表示面に表示される。続いて、上述した第２の上書き駆動が行われると、図中の第２の上書き表示期間Ｌ４−２となる。この第２の上書き表示期間Ｌ４−２においては、第１の上書き表示期間Ｌ４−１において表示された画面Ｑｍ１に対して、図８（ｄ）に示した手書き画像ｍ３が上書き表示された、図中の画面Ｑｍ２が記憶性表示体２２の表示面に表示される。続いて、上述した第３の上書き駆動が行われると、図中の第３の上書き表示期間Ｌ４−３となる。この第３の上書き表示期間Ｌ４−３においては、第２の上書き表示期間Ｌ４−２において表示された画面Ｑｍ２に対して、図８（ｅ）に示した手書き画像ｍ４及びｍ５が上書き表示された画面、すなわち上述した画面Ｑｂが記憶性表示体２２の表示面に表示される。
【００３１】
これを操作者から見ると、第１の上書き表示期間Ｌ４−１において、操作者Ａの操作によって描画された手書き画像ｍ１及びｍ２が浮き出てくるように見える。また、第２の上書き表示期間Ｌ４−２においては、操作者Ｂの操作によって描画された手書き画像ｍ３が浮き出てくるように見える。そして、第３の上書き表示期間Ｌ４−３においては、操作者Ｃの操作によって描画された手書き画像ｍ４及びｍ５が浮き出てくるように見える。
【００３２】
仮に、本発明の構成を備えていない場合には、図８（ａ）に示した画面Ｑａがリセットされると、図９に示す画面Ｑｍ０〜Ｑｍ２が表示されずに、一気に画面Ｑｂが表示されることになる。このような場合には、手書き画像の表示を指示する操作に応じて、どの部分が新たに表示されたのかが分かりにくい。また、同一の操作者の操作によって描画された手書き画像がどれであるのかを識別することができない。これに対し、上述した第２実施形態では、図８（ａ）に示した画面Ｑａがリセットされると、図９に示す画面Ｑｍ０が一旦表示された後に、操作者Ａにより描画された手書き画像ｍ１及びｍ２が表示され、時間差をもって操作者Ｂにより描画された手書き画像ｍ３が表示され、再び時間差をもって操作者Ｃにより描画された手書き画像ｍ４及びｍ５が表示される。このように、強調する必要がない画面Ｑｍ０と、第１の強調部分、第２の強調部分、第３の強調部分とがそれぞれ時間差をもって段階的に表示されるため、これらの強調部分をそれぞれ容易に把握できるとともに、同一の操作者の操作によって描画された手書き画像がどれであるのかを識別することができる。つまり、第２の実施形態によれば、表示面の表示内容を変更するときに、その変更箇所に含まれる複数の強調部分をそれぞれ目立つように表示することができるとともに、同一の操作者の操作によって描画された手書き画像がどれであるのかを識別することができる。
【００３３】
［変形例］
以上が実施形態の説明であるが、この実施形態の内容は以下のように変形し得る。また、以下の変形例を適宜組み合わせてもよい。
（変形例１）
上述した第２実施形態において、第１〜第３の強調部分は、その強調部分をなす手書き画像が描画された日時に応じた順番で上書き表示されてもよい。この場合、ＣＰＵ１１は、各々の手書き画像が描画された日時をＲＡＭ１３などに記憶しておく。そして、ＣＰＵ１１は、例えば手書き画像が描画された日時が古い順に第１〜第３の強調部分をＶＲＡＭ２０に記憶させていき、上述と同様に第１〜第３の上書き駆動を行うよう指示する。このとき、上述した第１の上書き表示期間Ｌ４−１〜Ｌ４−３においては、手書き画像が描画された日時が古い順に第１〜第３の強調部分が上書き表示されていく。つまり、ＣＰＵ１１は、複数の強調画像（強調部分）を入力が行われた順に１つずつ表示させていく。これにより、各々の強調部分をなす手書き画像が描画された順番を把握することができる。
また、表示装置１がユーザ認証機能を有している場合には、手書き画像の表示を指示する操作を行った操作者を識別し、その操作者の操作によって描画された手書き画像を最後に上書き表示してもよい。
【００３４】
（変形例２）
上述した実施形態では、ハイライト表示を行う場合又は手書き画像を表示する場合を例に挙げて説明したが、記憶性表示体２２の表示内容を変更する処理はこれに限らない。例えば、操作者の操作によって付加された装飾情報を表示するものであってもよい。この修飾情報としては、例えばアンダーライン、マーカ、電子付箋などがある。
また、例えば赤色のアンダーラインの優先度が１番、黄色のアンダーラインの優先度が２番、緑色のアンダーラインの優先度が３番というような対応関係をＲＯＭ１２などに記憶しておき、優先度が低い順番、すなわち緑色のアンダーライン→黄色のアンダーライン→赤色のアンダーラインの順に上書き表示を行ってもよい。
【００３５】
（変形例３）
上述した第１実施形態では、変更箇所のうちハイライト表示が行われる文字列だけを強調部分として特定していたが、強調部分として特定されるものはこれに限らない。例えば、変更箇所が全て強調部分として特定されてもよい。また、強調部分として特定する画像の種別をＲＯＭ１２などに記憶しておき、変更箇所のうち該当する種別の画像を強調部分として特定してもよい。
【００３６】
（変形例４）
表示装置１において、記憶性表示体２２の表示面に複数のＧＵＩボタンを配置した画面が表示される場合には、それらのＧＵＩボタンが操作されるべき順番に沿って１つずつ上書き表示されていってもよい。
【００３７】
（変形例５）
上述した実施形態では、強調部分を単に上書き表示していたが、上書き表示→非表示→上書き表示を繰り返して、点滅表示させてもよい。これにより、強調部分をより目立たせることができる。
【００３８】
（変形例６）
上述した実施形態では、記憶性表示体２２が電気泳動方式で画像の表示を行う場合を例に挙げて説明したが、記憶性表示体２２の表示方式はこれに限らない。例えば、コレステリック液晶を用いて画像を表示するものであってもよい。
【００３９】
（変形例７）
上述した実施形態において、ＣＰＵ１１が実行する処理は、ＣＰＵ１１と他のハードウェアとの協働によって行われてもよいし、ＣＰＵ１１に代えて１又は複数のハードウェアが行ってもよい。また、ＣＰＵ１１によって行われる処理は、単一のプログラムによって実現されてもよいし、複数のプログラムによって実現されてもよい。また、ＣＰＵ１１によって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。
【図面の簡単な説明】
【００４０】
【図１】第１実施形態に係る表示装置の外観を示す図である。
【図２】前記表示装置の構成を示すブロック図である。
【図３】前記表示装置の記憶性表示体の断面構造の一部を拡大して示す図である。
【図４】前記表示装置の画像の書き換え処理を示すフロー図である。
【図５】前記画像の書き換え処理で用いられる画像の一例を示す図である。
【図６】前記画像の書き換え処理における表示体制御部の駆動を示す図である。
【図７】第２実施形態に係る表示装置の画像の書き換え処理を示すフロー図である。
【図８】第２実施形態に係る画像の書き換え処理で用いられる画像の一例を示す図である。
【図９】第２実施形態に係る画像の書き換え処理の表示体制御部の駆動を示す図である。
【符号の説明】
【００４１】
１…表示装置、１１…ＣＰＵ、１２…ＲＯＭ、１３…ＲＡＭ、１４…記憶部、１５…電源、１６…電源制御部、１７…操作ボタン、１８…入力検出部、１９…入出力部、２０…ＶＲＡＭ、２１…表示体制御部、２２…記憶性表示体。
【図１】
2010152630.tif 000003
【図２】
2010152630.tif 000004
【図３】
2010152630.tif 000005
【図４】
2010152630.tif 000006
【図５】
2010152630.tif 000007
【図６】
2010152630.tif 000008
【図７】
2010152630.tif 000009
【図８】
2010152630.tif 000010
【図９】
2010152630.tif 000011